(57)【要約】【課題】ネットワーク・スタック・インターフェイスを設定するシステムおよび方法を提供する。【解決手段】先ず、ネットワーク・スタックのそれぞれに関連付けられた共通ネットワーク通信機能が、ネットワーク・インターフェイス・スタックによってマッピングされる。次に、インストールされたネットワーク通信コンポーネントに関連付けられたネットワーク・スタックが検出される。次に、検出されたコンポーネントに関連付けられた機能が、共通ネットワーク通信機能のマッピングにしたがって、マッピングされる。次に、検出されたネットワーク通信コンポーネントに関連付けられた機能のマッピングの出力に基づいて、ネットワーク・サービスが開始される。その後、開始されたネットワーク・サービスに対応する構成ファイル・データが、データ記憶装置に伝達される。【選択図】図５
2009064446.tif 000002
【特許請求の範囲】
【請求項１】
ネットワーク・スタックのそれぞれに関連付けられた共通ネットワーク通信機能のマッピングを行うネットワーク・インターフェイス・スタックと、
インストールされたネットワーク通信コンポーネントに関連付けられたネットワーク・スタックを検出する検出手段と、
この検出手段によって検出したネットワーク通信コンポーネントに関連付けられた機能を、前記共通ネットワーク通信機能のマッピングにしたがって、マッピングする手段と、
前記検出したネットワーク通信コンポーネントに関連付けられた機能のマッピングの出力にしたがってネットワーク・サービスを開始する手段と、
開始された前記ネットワーク・サービスに対応する構成ファイル・データを保存するデータ記憶手段と、
前記構成ファイル・データを前記データ記憶手段と通信する手段と
を有することを特徴とするネットワーク・スタック・インターフェイス設定システム。
【請求項２】
前記開始されたネットワーク・サービスが正常に動作しているか否かを検証する検証手段と、
この検証手段によって前記ネットワーク・サービスが正常に開始していないと判断された場合に、前記データ記憶手段から取得した構成ファイル・データにしたがってネットワーク・サービスを選択的に再開する手段と
を、さらに、有することを特徴とする請求項１に記載のネットワーク・スタック・インターフェイス設定システム。
【請求項３】
前記取得した構成ファイル・データは、以前正常に開始された前記ネットワーク・サービスに関連付けられた構成ファイル・データであって、最新の知られているデータからなることを特徴とする請求項２に記載のネットワーク・スタック・インターフェイス設定システム。
【請求項４】
前記構成ファイルは、ＸＭＬデータ・ファイルからなることを特徴とする請求項３に記載のネットワーク・スタック・インターフェイス設定システム。
【請求項５】
前記構成ファイルを、シン・クライアント・インターフェイスを介して、変更する手段を、さらに、有することを特徴とする請求項４に記載のネットワーク・スタック・インターフェイス設定システム。
【請求項６】
予め定義されたネットワーク・スタックのマッピングに関連付けられたマッピング・データを受け取る手段と、
前記予め定義されたネットワーク・スタックに関連付けられ、検出した通信コンポーネントを登録する手段と
を、さらに、有することを特徴とする請求項１に記載のネットワーク・スタック・インターフェイス設定システム。
【請求項７】
ネットワーク・インターフェイス・スタックによって、ネットワーク・スタックのそれぞれに関連付けられた共通ネットワーク通信機能をマッピングするステップと、
インストールされたネットワーク通信コンポーネントに関連付けられたネットワーク・スタックを検出するステップと、
検出したネットワーク通信コンポーネントに関連付けられた機能を、前記共通ネットワーク通信機能のマッピングにしたがって、マッピングするステップと、
検出したネットワーク通信コンポーネントに関連付けられた機能をマッピングする前記ステップの出力にしたがってネットワーク・サービスを開始するステップと、
開始された前記ネットワーク・サービスに対応する構成ファイル・データをデータ記憶装置と通信するステップと、
前記構成ファイル・データを前記データ記憶装置に保存するステップと
を含むことを特徴とするネットワーク・スタック・インターフェイス設定方法。
【請求項８】
前記開始されたネットワーク・サービスが正常に動作しているか否かを検証するステップと、
このステップにおいて前記ネットワーク・サービスが正常に開始していないと判断された場合に、前記データ記憶手段から取得した構成ファイル・データにしたがってネットワーク・サービスを選択的に再開するステップと
を、さらに、含むことを特徴とする請求項７に記載のネットワーク・スタック・インターフェイス設定方法。
【請求項９】
前記取得した構成ファイル・データは、以前正常に開始された前記ネットワーク・サービスに関連付けられた構成ファイル・データであって、最新の知られているデータからなることを特徴とする請求項８に記載のネットワーク・スタック・インターフェイス設定方法。
【請求項１０】
前記構成ファイルは、ＸＭＬデータ・ファイルからなることを特徴とする請求項９に記載のネットワーク・スタック・インターフェイス設定方法。
【請求項１１】
前記構成ファイルを、シン・クライアント・インターフェイスを介して、変更するステップを、さらに、含むことを特徴とする請求項１０に記載のネットワーク・スタック・インターフェイス設定方法。
【請求項１２】
予め定義されたネットワーク・スタックのマッピングに関連付けられたマッピング・データを受け取るステップと、
前記予め定義されたネットワーク・スタックに関連付けられ、検出した通信コンポーネントを登録するステップと
を、さらに、含むことを特徴とする請求項７に記載のネットワーク・スタック・インターフェイス設定方法。
【発明の詳細な説明】
【技術分野】
【０００１】
本発明は、ネットワーク・スタック・インターフェイスを設定するシステムおよび方法に関し、特に、ドキュメント処理装置に関連する複数のネットワーク・スタック・インターフェイスを設定するシステムおよび方法に関する。
【背景技術】
【０００２】
従来のドキュメント処理サービスに用いられる装置には、プリンタ、コピー機、ファクシミリ装置およびスキャナ等がある。最近、複数のドキュメント処理機能を実行する多機能周辺装置（Multi-Function Peripheral：ＭＦＰ）が普及してきた。
【０００３】
ドキュメント処理装置の購入と保守にかかるコストのために、殆どのオフィスは、多機能周辺装置を複数のユーザで共用している。最近では、ユーザはネットワーク接続を介してドキュメント処理サービスにアクセスすることができるようになったため、ユーザは、１つまたは複数のネットワークに接続されたコンピュータから、印刷、ファクシミリ通信、画像走査またはコピーの操作を行うことが可能となっている。一方、ネットワーク運用によって支援された多数の機能やネットワークに関連する様々なデータ通信プロトコルによって、装置のネットワーク・スタックのセットアップを構成したり維持したりすることが困難になってきている。
【０００４】
所望のネットワーク・システムまたはサービスを実現するために、開発者は、複雑なネットワーク・インターフェイスを開発しなければならないことが多い。この開発作業には、多大な開発時間に加え、検証時間およびデバッグ時間を要する。さらに、多数の異なるネットワーク通信インターフェイスを使用することによって、機能の干渉や他の両立不能性の危険が高くなる問題点がある。また、ネットワーク通信インターフェイスの誤った追加は、追加する前に有効に動作していたネットワーク・サービスを使用不能にする可能性を増大させる問題点もある。
【０００５】
したがって、このような問題点を解決するネットワーク・スタック・インターフェイスを設定するシステムまたは方法が望まれている。
【発明の開示】
【発明が解決しようとする課題】
【０００６】
本発明は、上記の従来の問題点に鑑みてなされたもので、ネットワーク・スタック・インターフェイスを設定するシステムおよび方法を提供することを目的とする。
【課題を解決するための手段】
【０００７】
本発明によるネットワーク・スタック・インターフェイス設定システムは、ネットワーク・スタックのそれぞれに関連付けられた共通ネットワーク通信機能のマッピングを行うネットワーク・インターフェイス・スタックを有する。本システムは、また、インストールされたネットワーク通信コンポーネントに関連付けられたネットワーク・スタックを検出する検出手段と、検出したネットワーク通信コンポーネントに関連付けられた機能を共通ネットワーク通信機能のマッピングにしたがってマッピングする手段とを有する。本システムは、さらに、検出したネットワーク通信コンポーネントに関連付けられた機能のマッピングの出力にしたがってネットワーク・サービスを開始する手段と、開始されたネットワーク・サービスに対応する構成ファイル・データを保存するデータ記憶手段と、構成ファイル・データをデータ記憶手段と通信する手段とを有する。
【０００８】
本発明の一実施形態において、システムは、また、開始されたネットワーク・サービスが正常に動作しているか否かを検証する検証手段と、この検証手段によって前記ネットワーク・サービスが正常に開始していないと判断された場合にデータ記憶手段から取得した構成ファイル・データにしたがってネットワーク・サービスを選択的に再開する手段とを有する。取得した構成ファイル・データは、以前正常に開始されたネットワーク・サービスに関連付けられた構成ファイル・データであって、最新の知られているデータからなる。また、一実施形態において、構成ファイルは、ＸＭＬデータ・ファイルからなる。
【０００９】
本発明の別の実施形態では、システムは、さらに、構成ファイルを、シン・クライアント・インターフェイスを介して、変更する手段を有する。
【００１０】
本発明のさらに別の実施形態では、システムは、また、予め定義されたネットワーク・スタックのマッピングに関連付けられたマッピング・データを受け取る手段と、予め定義されたネットワーク・スタックに関連付けられ検出した通信コンポーネントを登録する手段とを、さらに、有する。
【００１１】
また、本発明によるネットワーク・スタック・インターフェイス設定方法は、ネットワーク・インターフェイス・スタックによって、ネットワーク・スタックのそれぞれに関連付けられた共通ネットワーク通信機能をマッピングするステップと、インストールされたネットワーク通信コンポーネントに関連付けられたネットワーク・スタックを検出するステップと、検出したネットワーク通信コンポーネントに関連付けられた機能を共通ネットワーク通信機能のマッピングにしたがってマッピングするステップと、検出したネットワーク通信コンポーネントに関連付けられた機能をマッピングするステップの出力にしたがってネットワーク・サービスを開始するステップと、開始されたネットワーク・サービスに対応する構成ファイル・データをデータ記憶装置と通信するステップと、構成ファイル・データをデータ記憶装置に保存するステップとを含む。
【発明の効果】
【００１２】
本発明によれば、ネットワーク・スタック・インターフェイスを設定するシステムおよび方法が提供される。
【発明を実施するための最良の形態】
【００１３】
以下、適宜、図面を参照しながら本発明による実施形態の説明を行う。図１は本発明による実施形態が適用されるネットワーク・スタック・インターフェイスを設定するシステム全体の構成例である。図に示したシステム１００は、コンピュータ・ネットワーク１０２として表されている分散コンピューティング環境を利用している。コンピュータ・ネットワーク１０２は、複数の電子装置間におけるデータの交換を可能とする本技術分野で知られている任意の分散通信システムである。コンピュータ・ネットワーク１０２は、例えば、仮想ローカル・エリア・ネットワーク、ワイド・エリア・ネットワーク、パーソナル・エリア・ネットワーク、ローカル・エリア・ネットワーク、インターネット、イントラネットまたはそれらの任意の組み合わせを含む本技術分野で知られている任意のコンピュータ・ネットワークである。本発明による一実施形態において、コンピュータ・ネットワーク１０２は、例えば、トークン・リング、IEEE802.11(x)、Ethernet（登録商標）またはその他の無線ベースまたは有線ベースのデータ通信メカニズム等の既存の多数のデータ転送メカニズムによって例示されるような物理レイヤおよびトランスポート・レイヤから構成される。尚、図にコンピュータ・ネットワーク１０２を示したが、本発明は、本技術分野で知られているようなスタンドアローンの形態でも同様に実施可能である。
【００１４】
システム１００は、さらに、様々なドキュメント処理を実行するために適切な多機能周辺装置（Multi-Function Peripheral；以下、ＭＦＰということがある）として図に表されている、ドキュメント処理装置１０４を含む。しかし、ＭＦＰはドキュメント処理装置の一形態であって、本発明におけるドキュメント処理装置がＭＦＰに限定されるものではない。ドキュメント処理装置における処理動作には、例えば、ファクシミリ通信、画像走査、コピー、印刷、電子メール、ドキュメント管理またはドキュメント保存等がある。本発明による一形態においては、ドキュメント処理装置１０４は、リモート・ドキュメント処理サービスを外部装置あるいはネットワークに接続された装置に対して提供する。ドキュメント処理装置１０４は、ユーザあるいはネットワークに接続された装置等とやり取りするように構成された、ハードウェア、ソフトウェアおよびこれらの任意の適切な組み合わせを含む。
【００１５】
また、本発明による一実施形態において、ドキュメント処理装置１０４は、例えば、IEEE 1394あるいはＵＳＢインターフェイスを有する各種ドライブ、多様なＩＣメモリカード等の、複数のポータブル記憶媒体を受け入れるためのインターフェイスを備える。本発明の実施形態においては、ドキュメント処理装置１０４は、さらに、タッチ・スクリーン、ＬＣＤ、タッチ・パネルまたは英数字キーパッド等のユーザ・インターフェイス１０６を備え、ユーザは、このようなユーザ・インターフェイスを介してドキュメント処理装置１０４と直接やり取りすることができる。本発明による実施形態においては、ユーザ・インターフェイス１０６は、ユーザに対して情報を伝達するとともに、ユーザから選択内容を受け取るために有効に用いられる。ユーザ・インターフェイス１０６は、本技術分野で知られているように、ユーザにデータを提供するために適切な種々のコンポーネントからなる。本発明における一実施形態においては、ユーザ・インターフェイス１０６は、１つまたは複数のグラフィック要素、テキスト・データまたは画像等をユーザに表示し、ユーザから入力情報を受け取り、その入力情報を、さらに後ほど説明するようなコントローラ１０８等のバックエンド・コンポーネントに伝達するディスプレイ装置を有する。
【００１６】
ドキュメント処理装置１０４は、適切な通信リンク１１２を介して、コンピュータ・ネットワーク１０２に通信可能に接続されている。適切な通信リンク１１２としては、例えば、WiMax（Worldwide Interoperability for Microwave Access）、IEEE802.11a、IEEE802.11b、IEEE802.11g、IEEE802.11(x)、Bluetooth（登録商標）、公衆交換電話網、専用通信ネットワーク、赤外線接続、光接続、または本技術分野において知られている他の適切な有線または無線のデータ通信チャネルがある。
【００１７】
本発明による実施形態において、ドキュメント処理装置１０４は、さらに、ドキュメント処理装置１０４による処理動作を容易にする、コントローラ１０８として示した、適切なバックエンド・コンポーネントを内蔵している。コントローラ１０８は、ドキュメント処理装置１０４の動作の制御、あるいはユーザ・インターフェイス１０６を介した画像の表示の制御、または電子画像データの操作の指示等の処理を容易にするように構成されたハードウェア、ソフトウェアあるいはこれらの適切な組み合わせによって実装される。以下の説明においては、コントローラ１０８という用語は、後に述べる動作を実行し、もしくは実行させ、もしくは制御し、またはその他の方法で指示するように機能するハードウェア、ソフトウェア、またはこれらの組み合わせを含むドキュメント処理装置１０４と関連する任意の多数のコンポーネントの意味で、使用する。なお、図および上記の説明において、コントローラ１０８をドキュメント処理装置１０４に内蔵された形態としたが、コントローラ１０８は、ドキュメント処理装置１０４に通信可能に接続された外部装置の形態であってもよい。コントローラ１０８との関連において説明を行う処理動作は、本技術分野において知られている任意の汎用コンピューティング・システムによって実行可能である。したがって、コントローラ１０８は、そのような汎用的なコンピューティング装置を表しており、以下の説明において使用する際にも、そのように意図されている。さらに、以下におけるコントローラ１０８の使用は、例としての実施形態にすぎず、当業者には明らかな他の実施形態も本発明の一実施形態によるネットワーク・スタック・インターフェイスを設定するシステムおよび方法を用いることができる。コントローラ１０８の構成等については、後ほど図２と図３を参照しながら説明を行う。
【００１８】
また、ドキュメント処理装置１０４にはデータ記憶装置１１０が通信可能に接続されている。データ記憶装置１１０は、例えば、ハードディスク・ドライブ、その他の磁気記憶装置、光学式記憶装置、フラッシュ・メモリまたはそれらの任意の組み合わせを含む本技術分野で知られている大容量記憶装置である。一実施形態においては、データ記憶装置１１０は、構成データ、ドキュメント・データ、画像データ、または電子データベースのデータ等を保存するように適切に適合されている。データ記憶装置１１０は、図においてはシステム１００の独立したコンポーネントとして示しているが、例えば、内蔵ハードディスク・ドライブ等のような、ドキュメント処理装置１０４の内部記憶装置、あるいはコントローラ１０８のコンポーネント等として実装することができる。
【００１９】
システム１００は、さらに、通信リンク１１６を介してコンピュータ・ネットワーク１０２とデータ通信可能なユーザ装置１１４を含む。図においてはユーザ装置１１４をコンピュータ・ワークステーションとして示しているが、これは例示にすぎない。ユーザ装置１１４は、例えば、ノート形パーソナル・コンピュータ、デスクトップ形パーソナル・コンピュータ、ＰＤＡ（Personal Digital Assistant ；携帯情報端末）、ウェブ適合携帯電話、スマート・フォン、専用通信ネットワーク用の装置、またはその他のウェブ適合電子装置を含む本技術分野において知られている任意のパーソナル・コンピューティング装置を表している。通信リンク１１６は、例えば、Bluetooth（登録商標）、WiMax、IEEE802.11a、IEEE802.11b、IEEE802.11g、IEEE802.11(x)、専用通信ネットワーク、赤外線接続、光接続、公衆交換電話網、または本技術分野において知られている他の適切な無線または有線のデータ通信チャネルである。ユーザ装置１１４は、電子ドキュメント、ドキュメント処理インストラクション、ユーザ・インターフェイスの修正、アップグレード、更新、またはパーソナル化データ等を生成し、生成されたデータを、ドキュメント処理装置１０４あるいはコンピュータ・ネットワーク１０２に接続された他の類似装置に送る。
【００２０】
次に、図２および図３を参照しながら、本発明による実施形態におけるシステムの動作が実行されるコントローラのハードウェアおよび機能構成等を説明する。図２に本発明による実施形態においてシステム１００の動作が実行される、すなわち、図１においてコントローラ１０８として示した、バックエンド・コンポーネントであるコントローラ２００のハードウェア・アーキテクチャの構成例を説明するための図を示す。尚、図においては、コントローラの構成要素の意義をより明確にするため、参照符号２３２で表した、コントローラ以外のドキュメント処理装置の構成要素の一部を併せて示している。コントローラ２００は、本明細書に記載する動作を円滑に実行する能力を有する、本技術分野において知られている任意の汎用的なコンピューティング装置を表している。コントローラ２００は、少なくとも一つのＣＰＵを含むプロセッサ２０２を含む。プロセッサ２０２は、互いに協調して動作する複数のＣＰＵから構成されることもある。また、コントローラ２００には、ＢＩＯＳ機能、システム機能、システム構成データおよびコントローラ２００の動作に使用する他のルーチンもしくはデータ等の静的または固定的なデータ、あるいはインストラクションのために有効に使用される、不揮発性または読出し専用メモリ（ＲＯＭ）２０４が含まれる。
【００２１】
また、コントローラ２００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ２０６が含まれている。ＲＡＭ２０６は、プロセッサ２０２により処理されるアプリケーションおよびデータ処理に関係するデータ・インストラクションのための記憶領域を提供する。
【００２２】
ストレージ・インターフェイス２０８は、コントローラ２００に関連するデータの不揮発性保存、大容量保存または長期的な保存のためのメカニズムを提供する。ストレージ・インターフェイス２０８は、参照符号２１６で示したディスク・ドライブ、あるいは光学式ドライブ、テープ・ドライブ等の適切な任意のアドレス指定可能、またはシリアル記憶装置等の大容量記憶装置の他、当業者に知られている適切な任意の記憶媒体を使用する。
【００２３】
ネットワーク・インターフェイス・サブシステム２１０は、ネットワークとの間の入出力を適切にルーティングすることによって、コントローラ２００が他の装置と通信することを可能にする。ネットワーク・インターフェイス・サブシステム２１０は、コントローラ２００に対する外部装置との一つまたは複数のコネクションのインターフェイスを適切にとる。図においては、例えば、Ethernet（登録商標）およびトークン・リング等の固定または有線ネットワークとのデータ通信のための少なくとも一つのネットワーク・インターフェイス・カード２１４と、WiFi（Wireless Fidelity）、WiMax、無線モデム、セルラ・ネットワークまたは適切な任意の無線通信システム等の手段を介した無線通信のために適切な無線インターフェイス２１８を示している。ネットワーク・インターフェイス・サブシステム２１０は、任意の物理的データ転送レイヤあるいは物理的データ転送レイヤではないデータ転送レイヤまたはプロトコル・レイヤを適切に利用する。図においては、ネットワーク・インターフェイス・カード２１４は、例えば、ローカル・エリア・ネットワーク、ワイド・エリア・ネットワークまたはそれらの組合せから適切に構成される物理的ネットワーク２２０を介したデータ交換を行うために、相互接続されている。
【００２４】
プロセッサ２０２、読出し専用メモリ（ＲＯＭ）２０４、ＲＡＭ２０６、ストレージ・インターフェイス２０８およびネットワーク・インターフェイス・サブシステム２１０の間のデータ通信は、バス２１２によって例示したバス・データ転送メカニズムを介して行われる。
【００２５】
また、ドキュメント・プロセッサ・インターフェイス２２２もバス２１２を介してデータ通信を行う。ドキュメント・プロセッサ・インターフェイス２２２は、様々なドキュメント処理動作を実行するドキュメント処理ハードウェア２３２との接続を提供する。そのようなドキュメント処理動作には、コピー・ハードウェア２２４によって実行されるコピー、画像走査ハードウェア２２６によって実行される画像走査、印刷ハードウェア２２８によって実行される印刷、およびファクシミリ・ハードウェア２３０によって実行されるファクシミリ通信がある。コントローラ２００は、これらのドキュメント処理動作のいずれかまたは全部を適切に動作させる。複数のドキュメント処理動作を実行可能なシステムは、前述したように、ＭＦＰ（多機能周辺装置）または多機能装置と呼ばれる。システム１００の機能は、ドキュメント処理装置と関連するインテリジェント・サブシステムとして図２に示したコントローラ２００（図１におけるコントローラ１０８に対応）を含む、ドキュメント処理装置１０４等の適切なドキュメント処理装置において実行される。
【００２６】
次に図３を参照しながら、システムの動作が実行されるコントローラの機能ブロックと動作の概要を説明する。図３に、本発明による実施形態のシステム１００の動作が実行されるコントローラの機能ブロックの構成例を説明するための図を示す。尚、図３においても、コントローラの機能要素の意義をより明確にするため、コントローラ以外のドキュメント処理装置の機能要素の一部を併せて示している。図３は、ソフトウェアおよびオペレーティング・システム機能と関連して、図２に示したハードウェアの機能性を例示している。
【００２７】
コントローラ機能は、ドキュメント処理エンジン３０２を含む。一実施形態において、ドキュメント処理エンジン３０２は、印刷動作、コピー動作、ファクシミリ通信動作および画像走査動作を可能にする。これらの機能は、業界において一般に好まれるドキュメント処理周辺装置であるＭＦＰと関連付けられることが多い。しかし、コントローラが上記のドキュメント処理動作のすべてを可能にする必要は必ずしもない。コントローラは、上記のドキュメント処理動作のサブセットである、専用のドキュメント処理装置、あるいはより限定した目的のドキュメント処理装置においても有効に利用される。
【００２８】
ドキュメント処理エンジン３０２はユーザ・インターフェイス・パネル３１０と適切にインターフェイスされており、ユーザまたは管理者は、このユーザ・インターフェイス・パネル３１０を介して、ドキュメント処理エンジン３０２によって制御される機能にアクセスすることができる。アクセスは、コントローラへローカルに接続されたインターフェイスを介して行われるか、遠隔のシン・クライアント（thin client）またはシック・クライアント（thick client）によって遠隔から行われる。
【００２９】
ドキュメント処理エンジン３０２は、印刷機能部３０４、ファクシミリ通信機能部３０６および画像走査機能部３０８とデータ通信を行う。これらの機能部は、印刷、ファクシミリの送受信、およびドキュメント画像をコピーのために取得するか、またはドキュメント画像の電子バージョンを生成するための、ドキュメント画像走査の実際の処理動作を容易にする。
【００３０】
ジョブ・キュー（job queue）３１２は、印刷機能部３０４、ファクシミリ通信機能部３０６および画像走査機能部３０８とデータ通信を行う。ビットマップ・フォーマット、ページ記述言語（ＰＤＬ）フォーマットまたはベクター・フォーマット等の種々の画像形式は、画像走査機能部３０８からジョブ・キュー３１２を介して以降の処理のために中継される。
【００３１】
ジョブ・キュー３１２は、また、ネットワーク・サービス機能部３１４ともデータ通信を行う。一実施形態において、ジョブ制御信号、状態データまたは電子ドキュメント・データが、ジョブ・キュー３１２とネットワーク・サービス機能部３１４との間で交換される。このように、適切なインターフェイスが、クライアント側ネットワーク・サービス機能３２０を介したコントローラ機能へのネットワーク・ベースのアクセスのために設けられ、このインターフェイスは、任意の適切なシン・クライアントまたはシック・クライアントである。一実施形態において、ウェブ・サービス・アクセスは、ハイパーテキスト転送プロトコル（HTTP）、ファイル転送プロトコル（FTP）、ユニフォーム・データ・ダイアグラム・プロトコルまたは他の任意の適切な交換メカニズムによって実行される。ネットワーク・サービス機能部３１４は、また、ＦＴＰ、電子メール、またはテルネット（TELNET）等による通信のために、クライアント側ネットワーク・サービス機能３２０とのデータ交換も有効に提供する。このように、コントローラ機能は、種々のネットワーク・アクセス・メカニズムによって、電子ドキュメントおよびユーザ情報のやり取りを容易にする。
【００３２】
ジョブ・キュー３１２は、また、画像プロセッサ３１６ともデータ通信を行う。画像プロセッサ３１６は、印刷機能部３０４、ファクシミリ通信機能部３０６または画像走査機能部３０８等の装置機能部と、電子ドキュメントを交換するために適したフォーマットに変換するラスタ画像処理（ＲＩＰ）、ページ記述言語インタープリタまたは任意の適切な画像処理を行うメカニズムである。
【００３３】
さらに、ジョブ・キュー３１２はジョブ解析部（job parser）３１８とデータ通信を行い、このジョブ解析部３１８はクライアント装置サービス部３２２等の外部装置からの印刷ジョブ言語ファイルを受け取る働きをする。クライアント装置サービス部３２２は、電子ドキュメントの印刷、ファクシミリ通信、またはコントローラ機能による処理が有効である他の適切な電子ドキュメントの入力を含む。ジョブ解析部３１８は、受け取った電子ドキュメント・ファイルを解析し、前述した機能およびコンポーネントに関連する処理のために、解析した電子ドキュメント・ファイル情報をジョブ・キュー３１２に中継する働きをする。
【００３４】
次に図４に、本発明の一実施形態によるネットワーク・スタック・インターフェイス設定システム４００を示すブロック図を示す。尚、図４ないし図６においては、「ネットワーク」を「ＮＷ」と記すことがある。図４に示したように、システム４００は、ドキュメント処理装置１０４と通信を行う各種のクライアントを表す複数のネットワーク・クライアント４０２を含む。システム４００は、さらに、複数のネットワーク・クライアント４０２とドキュメント処理装置１０４間の通信のために使用されるネットワーク・スタックを表す複数のネットワーク・スタック４０４を含む。ネットワーク・スタック４０４は、単に例として、汎用（generic）ネットワーク管理オブジェクト４１０を用いることができる少なくとも１つの新しいスタック４０６と、後ほど説明する新しいネットワーク管理オブジェクト４１２を使用する少なくとも１つの新しいスタック４０８とを有する。汎用ネットワーク管理オブジェクト４１０および新しいネットワーク管理オブジェクト４１２は、ネットワーク・スタック４０４、４０６および４０８とデータ通信を行う。ネットワーク・スタック４０４、４０６および４０８によって提供されるネットワーク管理オブジェクト４１０および４１２は、予め定義されたネットワーク・サービス管理および構成インターフェイスを実現するライブラリである。汎用ネットワーク管理オブジェクト４１０は、例えば、ベース・レジスタ、アンレジスタ（unregister）、状態監視、開始および停止機能、有効化（enabling）および無効化（disabling）機能、および単純な構成フォーマット・マッピング等を、ドキュメント処理装置１０４に提供する。汎用ネットワーク管理オブジェクト４１０と新しいネットワーク管理オブジェクト４１２には、ネットワーク・サービス・マネージャ４１４が通信可能に結合されている。ネットワーク・サービス・マネージャ４１４は、ネットワーク管理オブジェクト４１０および４１２を用いて、予め定義されたネットワーク・サービス管理および構成インターフェイスを介して、ネットワーク・コンポーネントを管理し、構成する。後ほど説明するように、ドキュメント処理装置サービスとしてのＭＦＰデバイス・サービス４１６は、ネットワーク・スタック４０４、４０６および４０８を構成するためのＸＭＬ構成ファイル４１８を含む。
【００３５】
次に、本発明における動作の概要を説明する。先ず、ネットワーク・スタックのそれぞれに関連付けられた共通ネットワーク通信機能が、ネットワーク・インターフェイス・スタックによってマッピングされる。ここで、ネットワーク・インターフェイス・スタックは、複数のネットワーク・スタックのそれぞれに関連付けられた共通ネットワーク通信機能のマッピングを表すデータを含んでいる。また、共通ネットワーク通信機能は複数の場合もあるし、単一の場合もある。次に、インストールされたネットワーク通信コンポーネントに関連付けられたネットワーク・スタックが検出される。次に、検出されたコンポーネントに関連付けられた機能が、共通ネットワーク通信機能のマッピングにしたがって、マッピングされる。次に、検出されたネットワーク通信コンポーネントに関連付けられた機能のマッピングの出力に基づいて、ネットワーク・サービスが開始される。次に、開始されたネットワーク・サービスに対応する構成ファイル・データが、データ記憶装置に伝達される。
【００３６】
本発明による例示的な一実施形態によれば、先ず、ドキュメント処理装置１０４に関連するコントローラ１０８上で、ネットワーク・サービス・マネージャ・コンポーネント４１４が起動される。ネットワーク・サービス・マネージャ・コンポーネント４１４は、例えば、任意のソフトウェア、ハードウェアまたはこれらの適切な組み合わせであり、ネットワーク管理オブジェクトを用いて、予め定義されたネットワーク・サービス管理および構成インターフェイスを介して、ネットワーク・コンポーネントを管理し構成する。新しいネットワーク・スタック・コンポーネント４０６または４０８を受け取ると、コントローラ１０８は、ネットワーク・サービス・マネージャ４１４の動作により、ネットワーク・スタック・コンポーネント４０６または４０８が予め定義されたネットワーク・スタックに対応するか否かを判断する。ネットワーク・スタック・コンポーネント４０６または４０８が予め定義されたネットワーク・スタックであると判断された場合、予め定義されたネットワーク・スタック・コンポーネントのマッピングに関連するマッピング・データが、コントローラ１０８によって、受け取られる。ネットワーク・スタック・コンポーネント４０６または４０８が予め定義されたネットワーク・スタックでないと判断された場合には、新しいスタック・コンポーネント４０６または４０８を含む受け取ったデータが、ネットワーク管理オブジェクト４１２を含むか否かの判断が行われる。すなわち、汎用ネットワーク管理オブジェクト４１０を用いることができるネットワーク・スタック・コンポーネント４０６が受け取られたときは、新しいネットワーク管理オブジェクト４１２は受け取られないが、ネットワーク・スタック・コンポーネント４０８が受け取られたときは、新しいネットワーク管理オブジェクト４１２も受け取られる。ネットワーク管理オブジェクトはネットワーク・スタックによって提供されるライブラリであり、予め定義されたネットワーク・サービス管理および構成インターフェイスを具体化する。本発明による一実施形態において、コントローラ１０８は、ベース・レジスタ、アンレジスタ、状態監視、開始および停止機能、有効化および無効化機能、単純な構成フォーマット・マッピング等をドキュメント処理装置１０４に提供する働きをする、汎用ネットワーク管理オブジェクト４１０を使用する。
【００３７】
新しいネットワーク管理オブジェクト４１２が受け取られたネットワーク・スタック・コンポーネント、例えば、コンポーネント４０６に含まれていなかったと判断されたとき、新しいスタック・コンポーネント４０６は、コントローラ１０８のネットワーク・サービス・マネージャ４１４に関連する汎用ネットワーク管理オブジェクト４１０に関連付けられる。受け取られたネットワーク・スタック・コンポーネント、例えば、コンポーネント４０８が、対応するネットワーク管理オブジェクト４１２を含むときは、新しいネットワーク管理オブジェクト４１２が、コントローラ１０８上で動作するネットワーク・サービス・マネージャ４１４が利用可能なネットワーク管理オブジェクト４１０および４１２に、追加される。
【００３８】
その後、共通ネットワーク通信機能が、ネットワーク・インターフェイス・スタック４０４を介してマッピングされる。すなわち、共通ネットワーク通信機能は、新しいネットワーク・スタック・コンポーネント４０６または４０８に関連するネットワーク管理オブジェクト４１０または４１２を用いて、ネットワーク・サービス・マネージャ４１４によってマッピングされる。次に、インストールされたネットワーク通信コンポーネントに関連するネットワーク・スタック４０４が、コントローラ１０８のネットワーク・サービス・マネージャ４１２によって検出される。予め定義されたネットワーク・スタック・コンポーネントに関連付けられ、検出された任意の通信コンポーネントは、ネットワーク・サービス・マネージャ４１４に登録される。次に、検出されたコンポーネントに関連する機能が、共通ネットワーク通信機能にマッピングされる。その後、検出されたネットワーク通信コンポーネントに関連付けられマッピングされた機能にしたがって、ネットワーク・サービスが開始される。次いで、開始されたネットワーク・サービスに対応する構成ファイル・データ４１８が、データ記憶装置１１０に伝達される。
【００３９】
次に、ネットワーク・サービス・マネージャ４１４は、開始されたネットワーク・サービスの動作を検証し、サービスが正常に開始されたか否かを判断する。サービスが正常に開始されなかった場合、最新の知られている適切な構成に対応する構成ファイル・データ４１８が、データ記憶装置１１０から読み出される。すなわち、以前正常に開始されたネットワーク・サービスに関連付けられた構成ファイル・データであって、最新の知られているデータが読み出される。次に、読み出された構成ファイル・データ４１８にしたがって、ネットワーク・サービスが選択的に再開される。サービスが正常に開始された後、ドキュメント処理装置１０４の通常の動作が、変更データを受け取るまで実行される。すなわち、ドキュメント処理装置１０４は、管理者がシン・クライアント・インターフェイスを介して、ドキュメント処理装置１０４に変更データを伝達するまで通常動作を実行する。変更データが受け取られると、構成ファイル・データ４１８は、管理者から受け取られた変更を盛り込むように修正される。次に、ネットワーク・サービスは、構成ファイル・データ４１８に対する変更にしたがって選択的に再開され、正常に再開されると、ドキュメント処理装置１０４の通常動作が開始される。
【００４０】
例えば、ドキュメント処理装置１０４が、新しいネットワーク・スタック・コンポーネント、例えば、AppleTalkネットワーク・スタックを受け取ったとき、ネットワーク・サービス・マネージャは、先ず、受け取ったネットワーク・スタック・コンポーネントが予め定義されたネットワーク・スタックか否かを判断する。受け取ったネットワーク・スタック・コンポーネントが予め定義されたネットワーク・スタックではないと判断されたときは、受け取ったAppleTalkネットワーク・スタックに関連付けられたネットワーク管理オブジェクトが受け取られているか否かが判断される。そのようなネットワーク管理オブジェクトがAppleTalkネットワーク・スタックとともに受け取られていなかったとき、ネットワーク・サービス・マネージャは、AppleTalkネットワーク・スタックを汎用ネットワーク管理オブジェクトに関連付ける。次に、AppleTalkネットワーク・スタックに関連付けられた共通ネットワーク通信機能が、汎用管理オブジェクトに関連付けられたネットワーク・インターフェイス・スタックによってマッピングされる。インストールされたネットワーク通信コンポーネントと関連付けられ、検出されたネットワーク・スタック、例えば、AppleTalkネットワーク・スタックは、共通ネットワーク通信機能にマッピングされる。すなわち、ネットワーク・サービス・マネージャは、複数の異なるネットワーク・スタックに共通な種々の通信機能をAppleTalkスタックにマッピングする。このようなマッピングによって、ドキュメント処理装置１０４を用いた処理動作のためにAppleTalkネットワーク・スタックを使用するクライアントが利用可能な通信が改善される。次に、マッピングは、データ記憶装置１１０にＸＭＬ形式のファイルとして保存される。ネットワーク・サービス・マネージャは、必要に応じて、インストールされたサービス、例えば、AppleTalkを開始するためにシステム再起動を行う。問題が検出された場合、管理者は、ユーザ装置１１４上のシン・クライアント・インターフェイスを介して、構成ファイルを修正しエラーを修正することができる。代わりの方法として、ネットワーク・サービス・マネージャは、データ記憶装置１１０から最新の知られている動作可能な構成（適切な構成）に対応する構成ファイル・データ、すなわち、以前正常に開始されたネットワーク・サービスに関連付けられた構成ファイル・データであって、最新の知られているデータを読み出し、読み出した構成ファイル・データにしたがってシステムを再開することができる。
【００４１】
以上、図１ないし図４を参照しながらシステム１００とその構成コンポーネントについて説明を行った。次に図５および図６を参照しながら、本発明による実施形態における、ネットワーク・スタック・インターフェイスを設定する動作を説明する。図５に、本発明による実施形態における、ネットワーク・スタック・インターフェイスを設定する基本的な動作例を表すフローチャートを示す。先ず、Ｓ５０２で、複数のネットワーク・スタック４０４のそれぞれに関連付けられた共通ネットワーク通信機能が、ネットワーク・インターフェイス・スタックによってマッピングされる。ここで、前述したように、ネットワーク・インターフェイス・スタックは、ネットワーク・スタックのそれぞれに関連付けられた共通ネットワーク通信機能のマッピングを表すデータを含んでいる。本発明の一実施形態によれば、汎用ネットワーク管理オブジェクト４１０は、ドキュメント処理装置１０４に関連付けられたコントローラ１０８で動作し、例えば、ベース・レジスタ、アンレジスタ（unregister）、状態監視、開始および停止機能、有効化（enabling）および無効化（disabling）機能、および単純な構成フォーマット・マッピング等を、ドキュメント処理装置１０４に提供する働きをする。ネットワーク管理オブジェクト４１０および４１２は、ネットワーク・スタックによって提供されるライブラリであり、予め定義されたネットワーク・サービス管理および構成インターフェイスを実現するライブラリである。また、ソフトウェア、ハードウェアまたはこれらの任意の適切な組み合わせとしてコントローラ１０８上にあるネットワーク・サービス・マネージャ・コンポーネント４１４が、ネットワーク管理オブジェクトを用いて、予め定義されたネットワーク・サービス管理および構成インターフェイスを介して、ネットワーク・コンポーネントを管理し、構成する。
【００４２】
次に、Ｓ５０４で、インストールされたネットワーク通信コンポーネントに関連付けられたネットワーク・スタックが検出される。ネットワーク・スタック４０４には、例えば、ＬＰＤ、ＩＰＰ、ＳＭＢ、ＩＰＸ、AppleTalk等がある。次にＳ５０６で、検出されたコンポーネントに関連付けられた機能が、共通ネットワーク通信機能のマッピングにしたがって、マッピングされる。次に、検出されたネットワーク通信コンポーネントに関連付けられた機能のマッピングの出力に基づいて、ネットワーク・サービスが、Ｓ５０８で、開始される。次にＳ５１０で、開始されたネットワーク・サービスに対応する構成ファイル・データ４１８が、データ記憶装置に伝達される。本発明の一実施形態によれば、構成ファイル・データ４１８は、拡張可能なマークアップ言語（ＸＭＬ）ドキュメントで具体的に表現される。
【００４３】
次に図６を参照しながら、本発明による実施形態において、ネットワーク・スタック・インターフェイスを設定する詳細な動作を説明する。図６に、本発明による実施形態において、ネットワーク・スタック・インターフェイスを設定する動作例を詳細に表したフローチャートを示す。先ず、Ｓ６０２で、ネットワーク・サービス・マネージャ・コンポーネント４１４が、ドキュメント処理装置１０４に関連付けられたコントローラ１０８上で起動される。ネットワーク・サービス・マネージャ・コンポーネント４１４は、任意のソフトウェア、ハードウェアまたはこれらの適切な組み合わせであり、ネットワーク管理オブジェクトを用いて、予め定義されたネットワーク・サービス管理および構成インターフェイスを介して、ネットワーク・コンポーネントを管理し、構成する。Ｓ６０４で、新しいネットワーク・スタック・コンポーネント４０６または４０８が、ネットワーク・サービス・マネージャ４１４の動作を介して、コントローラ１０８によって受け取られる。次にＳ６０６で、受け取った新しいネットワーク・スタック・コンポーネント４０６または４０８が、予め定義されたネットワーク・スタックに対応するか否かが判断される。受け取ったネットワーク・スタック・コンポーネントが、予め定義されたネットワーク・スタックに対応すると判断されたとき、処理はＳ６０８に進み、コントローラは、予め定義されたネットワーク・スタック・コンポーネントのマッピングに関連付けられたマッピング・データを受け取る。次に、処理は、後ほど説明するＳ６１０に進む。
【００４４】
Ｓ６０６において、受け取ったネットワーク・スタック・コンポーネント４０６または４０８が予め定義されたネットワーク・スタックに対応しないと判断されると、処理はＳ６１０に直接進み、受け取ったネットワーク・スタック・コンポーネント４０６または４０８に関連してネットワーク管理オブジェクト４１０または４１２を受け取ったか否かが判断される。前述したように、ネットワーク管理オブジェクト４１０および４１２は、ネットワーク・スタックによって提供されるライブラリに対応し、これらのネットワーク・スタックは予め定義されたネットワーク・サービス管理および構成インターフェイスの実装を提供する。コントローラ１０８は、例えば、ベース・レジスタ、アンレジスタ、状態監視、開始および停止機能、有効化および無効化機能、単純な構成フォーマット・マッピング等を、ドキュメント処理装置１０４に提供する働きをする汎用ネットワーク管理オブジェクト４１０を使用する。
【００４５】
Ｓ６１０で、受け取ったネットワーク・スタック・コンポーネント、例えば、コンポーネント４０６に新しいネットワーク管理オブジェクト４１２が含まれていないと判断された場合、新しいネットワーク・スタック・コンポーネント４０６は、Ｓ６１２で、コントローラ１０８のネットワーク・サービス・マネージャ４１４に関連付けられた汎用ネットワーク管理オブジェクト４１０と関連付けられる。次に、処理はＳ６１６に進み、共通ネットワーク通信機能が、適切なネットワーク・インターフェイス・スタックによってマッピングされる。Ｓ６１０で、コントローラ１０８が、受け取ったネットワーク・スタック・コンポーネントが対応するネットワーク管理オブジェクトを含んでいる、例えば、受け取ったネットワーク・スタック・コンポーネント４０８が対応するネットワーク管理オブジェクト４１２を含んでいると判断した場合、処理はＳ６１４に進み、新しいネットワーク管理オブジェクト４１２は、コントローラ１０８上で動作するネットワーク・サービス・マネージャ４１４に利用可能なネットワーク管理オブジェクト４１０および４１２に、追加される。その後Ｓ６１６で、共通ネットワーク通信機能がネットワーク・インターフェイス・スタックによってマッピングされる。共通ネットワーク通信機能は、ネットワーク・サービス・マネージャ４１４によって、新しいネットワーク・スタック・コンポーネント４０６または４０８に関連付けられたネットワーク管理オブジェクト４１０または４１２を用いて、マッピングされる。
【００４６】
次にＳ６１８で、インストールされたネットワーク通信コンポーネントに関連付けられたネットワーク・スタックが、コントローラ１０８のネットワーク・サービス・マネージャ４１４によって検出される。次に処理はＳ６２０に進み、予め定義されたネットワーク・スタック・コンポーネントに関連付けられ、検出された任意の通信コンポーネントが、ネットワーク・サービス・マネージャ４１４に登録される。次にＳ６２２で、コントローラ１０８に関連付けられたネットワーク・サービス・マネージャ・コンポーネント４１４は、検出されたコンポーネントに関連付けられた機能を、共通ネットワーク通信機能にマッピングする。次にＳ６２４で、コントローラ１０８に関連付けられたネットワーク・サービス・マネージャ４１４は、検出されたネットワーク通信コンポーネントに関連付けられ、マッピングされた機能にしたがって、ネットワーク・サービスを開始する。次に、開始されたネットワーク・サービスに対応する構成ファイル・データ４１８が、Ｓ６２６で、データ記憶装置１１０に伝達される。本発明の一実施形態によれば、構成ファイル・データ４１８はＸＭＬ形式の構成ドキュメントである。対応するＸＭＬドキュメントの一例を以下に示す。
【００４７】
<?xml version="1.0" encoding="UTF-8"?>
<!--Sample XML file generated by XMLSPY v2004 rel. 4 U (http://www.xmlspy.com)-->
<Network>
<Services>
<NetWare>
<name>aa</name>
<enabled>1</enabled>
<active>1</active>
<Dependencies>
<protocol>aa</protocol>
<protocol>aa</protocol>
</Dependencies>
<Environment>
<bindery>1</bindery>
<NDS>1</NDS>
</Environment>
<mode>NPRINTER</mode>
<printerNumber>1</printerNumber>
<context>normalizedString</context>
<tree>normalizedString</tree>
<advertizedName>normalizedString</advertizedName>
<fileServerName>normalizedString</fileServerName>
<printServerName>normalizedString</printServerName>
<serverDiscovery>Auto</serverDiscovery>
<loginName>String</loginName>
<password>A9FD64E12C</password>
<searchRoot>normalizedString</searchRoot>
<queueScanRate>2</queueScanRate>
</NetWare>
<LPD>
<name>aa</name>
<enabled>1</enabled>
<active>1</active>
<Dependencies>
<protocol>aa</protocol>
<protocol>aa</protocol>
</Dependencies>
<portNo>0</portNo>
<bannerEnabled>1</bannerEnabled>
</LPD>
<HPJetDirect>
<name/>
<enabled>1</enabled>
<active>1</active>
<Connections>
<connection>aa</connection>
<connection>aa</connection>
</Connections>
<Dependencies>
<protocol>aa</protocol>
<protocol>aa</protocol>
</Dependencies>
<Dependents>
<protocol>aa</protocol>
<protocol>aa</protocol>
</Dependents>
<portNo>0</portNo>
<enabled>1</enabled>
</HPJetDirect>
<FTPPrint>
<name>aa</name>
<enabled>1</enabled>
<active>1</active>
<Dependencies>
<protocol>aa</protocol>
<protocol>aa</protocol>
</Dependencies>
<portNo>0</portNo>
<loginName>String</loginName>
<password>A9FD64E12C</password>
</FTPPrint>
<IPP>
<name>aa</name>
<enabled>1</enabled>
<active>1</active>
<Dependencies>
<protocol>aa</protocol>
<protocol>aa</protocol>
</Dependencies>
<portNo>0</portNo>
<port80Enabled>1</port80Enabled>
</IPP>
<BONJOUR>
<name>Bonjour</name>
<ServiceName>testBonjour</ServiceName>
<OperStatus>Enabled</OperStatus>
<PortNumber>9100</PortNumber>
<HostName>Bonjour_Linux@tabs.toshiba.com</HostName>
<Dependencies>
<protocol>aa</protocol>
<protocol>aa</protocol>
</Dependencies>
</BONJOUR>
</Services>
<Protocols>
<SMB>
<name/>
<enabled>1</enabled>
<active>1</active>
<Connections>
<connection>aa</connection>
<connection>aa</connection>
</Connections>
<Dependencies>
<protocol>aa</protocol>
<protocol>aa</protocol>
</Dependencies>
<Dependents>
<protocol>aa</protocol>
<protocol>aa</protocol>
</Dependents>
<deviceName>normalizedString</deviceName>
<groupName>normalizedString</groupName>
<wins>10.1.2.3</wins>
<wins2>10.4.5.6</wins2>
<scope>String</scope>
<masterBrowser>1</masterBrowser>
<printingEnabled>1</printingEnabled>
</SMB>
<IPX-SPX>
<name/>
<enabled>1</enabled>
<active>1</active>
<Connections>
<connection>aa</connection>
<connection>aa</connection>
</Connections>
<Dependencies>
<protocol>aa</protocol>
<protocol>aa</protocol>
</Dependencies>
<Dependents>
<protocol>aa</protocol>
<protocol>aa</protocol>
</Dependents>
<Adapter>
<enabled>1</enabled>
<frameType>AUTO</frameType>
</Adapter>
</IPX-SPX>
<Appletalk>
<enabled>1</enabled>
<active>1</active>
<Connections>
<connection>aa</connection>
<connection>aa</connection>
</Connections>
<Dependencies>
<protocol>aa</protocol>
<protocol>aa</protocol>
</Dependencies>
<Dependents>
<protocol>aa</protocol>
<protocol>aa</protocol>
</Dependents>
<zone>String</zone>
<deviceName>String1</deviceName>
</Appletalk>
<TCP-IP>
<name/>
<enabled>1</enabled>
<active>1</active>
<Connections>
<connection>aa</connection>
<connection>aa</connection>
</Connections>
<Dependencies>
<protocol>aa</protocol>
<protocol>aa</protocol>
</Dependencies>
<Dependents>
<protocol>aa</protocol>
<protocol>aa</protocol>
</Dependents>
<dns>0x0x0x0</dns>
<dns2>0x0x0x0</dns2>
<AutoConfig>
<enabled>1</enabled>
<autoIPEnabled>0</autoIPEnabled>
</AutoConfig>
<ip>10.11.12.13</ip>
<subnet>10.14.15.16.17</subnet>
<gw>10.18.19.20.21</gw>
<dnsEnabled>1</dnsEnabled>
<ddnsEnabled>1</ddnsEnabled>
<AddressMode>DHCP</AddressMode>
</TCP-IP>
</Protocols>
</Network>
Ｓ６２６で構成ファイル・データ４１８がデータ記憶装置１１０に伝達された後、処理はＳ６２８に進み、開始されたネットワーク・サービスの動作が、ネットワーク・サービス・マネージャ４１４によって、検証される。次にＳ６３０で、新しくインストールされたネットワーク・サービスが正常に開始されたか否かが判断される。サービスが正常には開始されなかったときは、Ｓ６３２で、最新の知られている適切な構成に対応する構成ファイル・データ４１８が、データ記憶装置１１０から読み出される。すなわち、以前正常に開始されたネットワーク・サービスに関連付けられた構成ファイル・データであって、最新の知られている構成ファイル・データ４１８が、データ記憶装置１１０から読み出される。処理は次にＳ６３４に進み、ネットワーク・サービス・マネージャ４１４によって読み出された構成ファイル・データ４１８にしたがってネットワーク・サービスが選択的に再開され、処理はＳ６３０に戻る。Ｓ６３０で、サービスが正常に開始されたと判断された場合は、Ｓ６３６で、ドキュメント処理装置１０４の通常動作が開始される。次にＳ６３８で、変更データが管理者から受け取られているか否かが判断される。すなわち、ドキュメント処理装置１０４は、管理者が、シン・クライアント・インターフェイスを介して、ドキュメント処理装置１０４に変更データを伝達するまで、通常動作を実行する。変更データが未だ受け取られていないとき、処理はＳ６３６に戻り、ドキュメント処理装置１０４の通常動作が続く。変更データが受け取られていると、処理はＳ６４０に進み、構成ファイル・データ４１８は、管理者から受け取られた変更を盛り込むように修正される。次にＳ６３４で、ネットワーク・サービスは、構成ファイル・データ４１８に対する変更にしたがって、選択的に再開され、Ｓ６３０で正常に再開されたと判断されると、Ｓ６３６に示したドキュメント処理装置１０４の通常動作が開始される。
【００４８】
以上の説明から明らかなように、本発明によればネットワーク・スタック・インターフェイスを設定するシステムおよび方法が提供される。また、本発明による一実施形態によれば、ドキュメント処理装置に関連する複数のネットワーク・スタック・インターフェイスを設定するシステムおよび方法が提供される。また、本発明の一実施形態によれば、ネットワーク装置におけるネットワーク・サービスを構成するためのシステムおよび方法が提供される。さらに、本発明の一実施形態によれば、ドキュメント処理装置と関連付けられたネットワーク・サービスを構成するシステムおよび方法が提供される。
【００４９】
本発明は、ソース・コード、オブジェクト・コード、部分的にコンパイルされた形のようなコード中間ソースおよびオブジェクト・コードの形、あるいは本発明の実施形態で使用するために適した任意の他の形のコンピュータ・プログラムに適用される。コンピュータ・プログラムは、スタンドアローンのアプリケーション、ソフトウェア・コンポーネント、スクリプトまたは他のアプリケーションへのプラグ・インとすることができる。本発明を実施するコンピュータ・プログラムは、例えば、ＲＯＭやＲＡＭ等の記憶媒体、ＣＤ−ＲＯＭ等の光記録媒体、フロッピー（登録商標）ディスク等の磁気記録媒体等の、コンピュータ・プログラムを伝達することができる任意の実体または装置である担体上で具体化することができ、あるいは電気ケーブルまたは光ケーブルによって、または無線や他の手段によって伝えられる電気信号や光信号等の任意の担体によって伝達することができる。コンピュータ・プログラムは、サーバからインターネットを介してダウンロードすることもできる。また、コンピュータ・プログラムの機能は集積回路に組み込むこともできる。説明を行った本発明の原理を実質的にコンピュータまたはプロセッサに実行させるコードを含む任意およびすべての実施形態は、本発明の範囲内にある。
【００５０】
本発明の好ましい実施形態の以上の説明は、例示と説明のために行った。説明は網羅的ではなく、本発明を開示した形態に限定しようとするものでもない。以上の開示を鑑みて明らかな修正または変形が可能である。例えば、本発明による実施形態の説明に記したシステムおよび方法は、通信、一般コンピューティング、データ処理等を含む、ネットワーク通信を使用する複数の様々な電子工学分野に対しても適用可能であり、本発明がドキュメント処理分野への適用に限定されるものではない。実施形態は、本発明の原理とその実際的な応用例を最もよく示し、それにより当業者が、本発明を、意図された特定の使用に適した様々な実施形態において様々な修正で使用できるように選択され説明された。そのようなすべての修正と変形は、特許請求の範囲の記載に明示されるとおりの本発明の原理および範囲内において、当業者によって行われ得ることは明らかであり、特許請求の範囲の記載によって定められる本発明の範囲内にある。
【図面の簡単な説明】
【００５１】
【図１】本発明による実施形態が適用されるネットワーク・スタック・インターフェイスを設定するシステムの全体の構成例である。
【図２】本発明による実施形態のシステムの動作が実行されるコントローラのハードウェアの構成例を説明するための図である。
【図３】本発明による実施形態のシステムの動作が実行されるコントローラの機能ブロックの構成例を説明するための図である。
【図４】本発明による実施形態におけるネットワーク・スタック・インターフェイスを設定するシステムのブロック図の一例である。
【図５】本発明による実施形態におけるネットワーク・スタック・インターフェイスを設定する基本的な動作例を表すフローチャートである。
【図６】本発明による実施形態におけるネットワーク・スタック・インターフェイスを設定する詳細な動作例を表したフローチャートである。
【符号の説明】
【００５２】
１００  システム
１０２  コンピュータ・ネットワーク、分散通信システム
１０４  ドキュメント処理装置、ＭＦＰ
１０６  ユーザ・インターフェイス
１０８  コントローラ
１１０  データ記憶装置
１１２、１１６  通信リンク
１１４  ユーザ装置
２００  コントローラ
２０２  プロセッサ
２０４  読み出し専用メモリ、ＲＯＭ
２０６  ＲＡＭ
２０８  ストレージ・インターフェイス
２１０  ネットワーク・インターフェイス・サブシステム
２１２  バス
２１４  ネットワーク・インターフェイス・カード
２１６  ディスク・ドライブ
２１８  無線インターフェイス
２２０  物理的ネットワーク
２２２  ドキュメント・プロセッサ・インターフェイス
２２４  コピー・ハードウェア
２２６  画像走査ハードウェア
２２８  印刷ハードウェア
２３０  ファクシミリ・ハードウェア
２３２  ドキュメント処理ハードウェア
３０２  ドキュメント処理エンジン
３０４  印刷機能部
３０６  ファクシミリ通信機能部
３０８  画像走査機能部
３１０  ユーザ・インターフェイス・パネル
３１２  ジョブ・キュー
３１４  ネットワーク・サービス機能部
３１６  画像プロセッサ
３１８  ジョブ解析部
３２０  クライアント側ネットワーク・サービス機能
４００  システムの機能ブロックの一例
４０２  ネットワーク・クライアント
４０４  ネットワーク・スタック
４０６、４０８  新しいネットワーク・スタック
４１０  汎用ネットワーク管理オブジェクト
４１２  新しいネットワーク管理オブジェクト
４１４  ネットワーク・サービス・マネージャ
４１６  ＭＦＰデバイス・サービス
４１８  ＸＭＬ構成ファイル
【図１】
2009064446.tif 000003
【図２】
2009064446.tif 000004
【図３】
2009064446.tif 000005
【図４】
2009064446.tif 000006
【図５】
2009064446.tif 000007
【図６】
2009064446.tif 000008